(57)【要約】      （修正有）【課題】軽量化が図れるとともに、コスト安にでき、さらには、色の選択の幅を拡大できてより見栄えするスナップ留め具を提供する。【解決手段】一端にフランジ１ａを有するハトメ１と、中央部分に中央貫通孔Ｈが形成された雄型嵌合部材２と、中央貫通孔Ｈに連通するよう形成された貫通孔ｈを有するとともに、雄型嵌合部材２が嵌め込み可能な嵌合凹入部Ａを中央部分に有し、さらに、生地に縫い込むため外周部分３ａに形成された縫込穴５を有する台部材３とを備え、貫通孔ｈおよび中央貫通孔Ｈにハトメ１を同軸状に挿通させた状態で、ハトメ１の他端Ｆ’側を打撃してかしめることにより、嵌合凹入部Ａ内に雄型嵌合部材２を固定設置してなるスナップ留め具Ｄであって、雄型嵌合部材２は、色の選択が可能な熱可塑性合成樹脂製の素材よりなる。【選択図】図１
0003196572.tif 000002
【実用新案登録請求の範囲】
【請求項１】
一端にフランジを有するハトメと、
中央部分に中央貫通孔が形成された雄型嵌合部材または雌型嵌合部材と、
前記中央貫通孔に連通するよう形成された貫通孔を有するとともに、雄型嵌合部材または雌型嵌合部材が嵌め込み可能な嵌合凹入部を中央部分に有し、さらに、生地に縫い込むため外周部分に形成された縫込穴を有する台部材とを備え、
前記貫通孔および前記中央貫通孔にハトメを同軸状に挿通させた状態で、ハトメの他端側を打撃してかしめることにより、嵌合凹入部内に前記嵌合部材を固定設置してなるスナップ留め具であって、
前記嵌合部材は、色の選択が可能な熱可塑性合成樹脂製の素材よりなることを特徴とするスナップ留め具。
【請求項２】
前記熱可塑性合成樹脂はポリアセタールまたはナイロンである一方、前記ハトメおよび前記台部材は金属製の素材よりなる請求項１に記載のスナップ留め具。
【請求項３】
前記台部材は前記嵌合部材と同一の熱可塑性合成樹脂製の素材よりなる請求項１に記載のスナップ留め具。
【考案の詳細な説明】
【技術分野】
【０００１】
本考案は、スナップ留め具に関し、さらに詳しくは、雄型嵌合部材または雌型嵌合部材と、それが嵌め込まれた台部材と、ハトメの三部材を用いて例えば衣服の生地に取り付け可能に構成されたスナップ留め具に関するものである。
【背景技術】
【０００２】
例えばズボンの裾の折返しには、互いに弾性的に嵌合する金属製の雄スナップと金属製の雌スナップの一組の布帛用ホック（スナップ留め具の一例）が縫い付けられている。また、例えば真ちゅうや鉄にクロムメッキまたはニッケルメッキを施した雄スナップおよび雌スナップの一組のスナップボタン（スナップ留め具の一例）が、スポーツウェアやコート等の衣服に用いられている。
【考案の概要】
【考案が解決しようとする課題】
【０００３】
しかしながら、これらの雄スナップ・雌スナップは、いずれも金属製であり、合成樹脂に比べて重たく、メッキを施した場合はより重たくなるといった課題がある。また、メッキを施さなくても金属製の雄スナップ・雌スナップは、製造コストが高いという課題もある。また、前記金属製の雄スナップ・雌スナップは同じ材料（素材）から作られ、色の選択が一色に限られており、見栄えするスナップボタンが望まれていた。
【０００４】
本考案は上述の事柄を考慮に入れてなされたものであり、軽量化が図れるとともに、コスト安にでき、さらには、色の選択の幅を拡大できてより見栄えするスナップ留め具を提供することを目的としている。
【課題を解決するための手段】
【０００５】
上記目的を達成するため、本考案は、一端にフランジを有するハトメと、
中央部分に中央貫通孔が形成された雄型嵌合部材または雌型嵌合部材と、
前記中央貫通孔に連通するよう形成された貫通孔を有するとともに、雄型嵌合部材または雌型嵌合部材が嵌め込み可能な嵌合凹入部を中央部分に有し、さらに、生地に縫い込むため外周部分に形成された縫込穴を有する台部材とを備え、
前記貫通孔および前記中央貫通孔にハトメを同軸状に挿通させた状態で、ハトメの他端側を打撃してかしめることにより、嵌合凹入部内に前記嵌合部材を固定設置してなるスナップ留め具であって、
前記嵌合部材は、色の選択が可能な熱可塑性合成樹脂製の素材よりなることを特徴とするスナップ留め具（請求項１）を提供する。
【０００６】
本考案で用いられるハトメは、これに座金を組み合わせたものも含む。
【０００７】
また、本考案は、前記熱可塑性合成樹脂はポリアセタールまたはナイロンである一方、前記ハトメおよび前記台部材は金属製の素材よりなる請求項１に記載のスナップ留め具（請求項２）を提供する。
【０００８】
さらに、本考案は、前記台部材は前記嵌合部材と同一の熱可塑性合成樹脂製の素材よりなる請求項１に記載のスナップ留め具（請求項３）を提供する。
【０００９】
なお、本件明細書および実用新案登録請求の範囲では、雄型嵌合部材、雌型嵌合部材を総称して「前記嵌合部材」という場合がある。
【考案の効果】
【００１０】
本願の請求項１に係る考案では、例えば雄型嵌合部材の素材を熱可塑性合成樹脂製としたことにより、以下に示す本願特有の作用効果を奏する。（１）金属製の雄スナップ（金属製の雄型嵌合部材）を用いる従来技術に比べて軽量化が図れる。（２）前記雄型嵌合部材は単一の射出成型品となり、防錆用のメッキやカラー塗装が不要で、金型内面形状を変更するだけでよく、金属製の雄スナップを製造する従来技術の場合に比べて、製造能率を向上できるとともに、製造コストを安価にできる。（３）材料樹脂の色の選択だけで、ハトメおよび台部材とは色違いの雄型嵌合部材を製造することが容易である。すなわち、ハトメおよび台部材の色とは異なる色の選択ができ、特にハトメと台部材が色違いの部材である場合、最大３色の色の選択が可能なスナップ留め具を得ることができる。また、ハトメと台部材が同色の部材である場合でも、２色の色の選択が可能なスナップ留め具を得ることができ、色の選択が一色に限られていた従来技術に比べて、色の選択の幅を拡大できてより見栄えがよいスナップ留め具を提供することができる。例えばボタンの色として衣服の色にマッチした見栄えがよい３色を選択することができ、飾りボタンとしてのデザイン性をさらに向上させることができ、従来品よりも消費者の購買意欲をかきたてることに貢献できる。
【００１１】
さらに、本願の請求項１に係る考案は、以下に示す作用効果を奏する。（４）本願の請求項１に係る考案では、ハトメを、台部材の貫通孔と例えば雄型嵌合部材の中央貫通孔に挿入し、中央貫通孔から突出したハトメ他端側を、打撃してかしめる（つぶす）ことにより、嵌合凹入部内に前記雄型嵌合部材を固定設置できて（嵌合凹入部内から前記雄型嵌合部材が抜け出るのを阻止することができて）、この抜け止め用の前記ハトメを通して、スナップ留め具を生地に位置決めすることができる。そのために、生地に取り付けられる雄型嵌合部材と雌型嵌合部材のセンター合わせの穴を別途形成する必要はない。すなわち、本願の請求項１に係る考案の前記ハトメは、雄型嵌合部材または雌型嵌合部材の抜け止め機能と、雄型嵌合部材と雌型嵌合部材とが位置ずれすることなくきっちりと嵌合されるように生地に取り付けられる位置決め機能（センター合わせの機能）の両方を兼ねているという作用効果を奏する。雌型のスナップ留め具についても同様の作用効果を奏する。
【００１２】
本願の請求項２に係る考案では、例えば雄型嵌合部材が熱可塑性合成樹脂製の素材よりなり、ハトメおよび台部材が金属製の素材よりなることにより、前記雄型嵌合部材と前記ハトメと前記台部材とで最大３色の色の選択が可能なスナップ留め具を得ることができる。そして、金属製の台部材は、例えばプレス盤で金属板を曲げることにより座を形成するだけの簡単な作業で、安価に作製することができる。また、金属製の前記ハトメも公知の金属工作機械で安価に作製することができる。さらに、前記雄型嵌合部材は単一の射出成型品であることから、これも安価に作製することができ、前記雄型嵌合部材と前記台部材と前記ハトメは量産化が可能である。雌型のスナップ留め具についても同様の作用効果を奏する。
【００１３】
本願の請求項３に係る考案では、例えば雄型嵌合部材および台部材の素材を熱可塑性合成樹脂製としたことにより、以下に示す特有の作用効果を奏する。（１）金属製の雄スナップを用いる従来技術に比べて嵌合部材の軽量化が図れる。（２）前記雄型嵌合部材および台部材は共に単一の射出成型品となり、防錆用のメッキやカラー塗装が不要で、金型内面形状を変更するだけでよく、金属製の雄スナップを製造する従来技術の場合に比べて、製造能率を向上できるとともに、製造コストを安価にできる。（３）材料樹脂の色の選択だけで、色違いの前記雄型嵌合部材および台部材を製造することが容易である。すなわち、前記雄型嵌合部材と前記台部材で異なる色の選択ができる上に、もう一つの構成部材であるハトメに、これらの色とは異なる色を選択することによって、最大３色の色の選択が可能なスナップ留め具を得るようにでき、それによって、色の選択が一色に限られていた従来技術に比べて、色の選択の幅を拡大できてより見栄えするスナップ留め具を提供することができる。例えばボタンの色として衣服の色にマッチした見栄えがよい３色を選択することができ、また、金型内面形状を変更するだけでよいことから、例えば台部材の適宜の個所に文字や図形などの凹凸模様を付けることが可能であり、飾りボタンとしてのデザイン性をさらに向上させることができ、従来品よりも消費者の購買意欲をかきたてることに貢献できる。雌型のスナップ留め具についても同様の作用効果を奏する。
【図面の簡単な説明】
【００１４】
【図１】本考案の第１の実施形態を説明するための概略構成説明図である。
【図２】上記実施形態で用いる台部材を示す平面図である。
【図３】（Ａ）は、図１において示した雄型嵌合部材の詳細を示す平面図である。（Ｂ）は、図３（Ａ）におけるＢ−Ｂ線断面図である。（Ｃ）は、前記雄型嵌合部材を示す斜視図である。
【図４】本考案の第２の実施形態を説明するための概略構成説明図である。
【図５】（Ａ）は、図４において示した雌型嵌合部材の詳細を示す平面図である。（Ｂ）は、図５（Ａ）におけるＤ−Ｄ線断面図である。（Ｃ）は、前記雌型嵌合部材を示す斜視図である。
【考案を実施するための形態】
【００１５】
図１〜図３は、ハトメと雄型嵌合部材と台部材の３部材を生地に取り付けるように構成してなるスナップ留め具を示す本考案の第１の実施形態を示す。
【００１６】
図１〜図３において、スナップ留め具Ｄは、筒状部分Ｆおよび筒状部分Ｆの一端に形成されたフランジ１ａで構成された金属製のハトメ１と、中央部分に中央貫通孔Ｈが形成された雄型嵌合部材２と、中央貫通孔Ｈに連通するよう形成された貫通孔ｈを有する金属製の台部材３とより主としてなる。前記台部材３は、雄型嵌合部材２が嵌め込み可能な嵌合凹入部Ａを中央部分に有し、さらに、生地（図示せず）に縫い込むため外周部分３ａに形成された縫込穴５を有している。Ｍは、筒状部分Ｆの穴、すなわち、ハトメ１の穴で、これは生地にスナップ留め具Ｄを縫い付けるときのセンター合わせのための位置決め用穴として機能する。６は、台部材３の外周部分３ａを構成する座である。
【００１７】
雄型嵌合部材２は、色の選択が可能な熱可塑性合成樹脂製の素材（材料）よりなる単一の射出成形品である。この実施形態では、熱可塑性合成樹脂としてポリアセタールを用いており、衣服の色にマッチした色のものが用いられる。そのカラーバリエーションは多彩で、例えば白、黒、ローズ、サックス、グレー、ピンク、エンジ、カラシ、濃紺、モスグリーン、ベージュ、濃グレー、茶等といったものを挙げることができる。熱可塑性合成樹脂としてナイロン等を用いてもよい。なお、台部材３を、雄型嵌合部材２と同一の熱可塑性合成樹脂製の素材より構成することにより、色の選択の幅をさらに拡大することができる。
【００１８】
この実施形態では前述したように、台部材３は金属で構成されており、真鍮台、亜鉛台等を挙げることができる。台部材３としての例えば真鍮台は、例えばプレス盤で真鍮板を曲げることにより座６を形成するだけの簡単な作業で、安価に作製することができる。また、雄型嵌合部材２も単一の射出成型品であることから、これも安価に作製することができ、両部材２，３は量産化が可能である。また、金属製のハトメ１も公知の金属工作機械で安価に作製することができ、量産化が可能である。
【００１９】
而して、ハトメ１の筒状部分Ｆを貫通孔ｈおよび中央貫通孔Ｈの順に挿入し、さらに、中央貫通孔Ｈから突出させた筒状部分Ｆの先端部（ハトメ１の他端部）Ｆ’を、上方からハンマーＫにて打撃してかしめることにより、図１に点線で示すような、かしめ部分ｆが筒状部分Ｆの先端部分に形成され、真鍮台３の嵌合凹入部Ａ内に雄型嵌合部材２を固定設置してなるスナップ留め具Ｄを構成することができる。
【００２０】
そして、その後、前記スナップ留め具Ｄは、台部材３の縫込穴５に糸を通して生地に取り付けられる。
【００２１】
図３は、雄型嵌合部材２を示している。雄型嵌合部材２は、平面視円形で互いに同心状の内外二つの環状突部７，８を有している。そして、内側環状突部７は、かしめ部分ｆが位置する凹入部９を備えており、貫通孔Ｈは、この凹入部９に連通するようベース部２ａを貫通している。また、内側環状突部７は、上縁部分７ａに複数の切欠Ｐを有する。１１は、かしめ部分ｆが当接可能な段差で、内側環状突部７の下縁と貫通孔Ｈの出口１２との間の面に形成されている。また、外側環状突部８は、下側から上側に向かって外径が徐々に小さくなる傾斜面が形成された外周面ｎを有している。そして、図１に示すように、雄型嵌合部材２が嵌合凹入部Ａに嵌め込まれた状態では、雄型嵌合部材２が弾性変形する。すなわち、弾性変形により、嵌合凹入部Ａを形成する垂直状態の内周面ａに外側環状突部８の外周面ｎが押圧された状態で当接するとともに、切欠Ｐが狭くなるよう内側環状突部７も弾性変形する。
【００２２】
図４、図５は、ハトメと雌型嵌合部材と台部材の３部材を生地に取り付けるように構成してなるスナップ留め具を示す本考案の第２の実施形態を示す。なお、図４、図５において、図１〜図３で用いた符号と同一のものは、同一または相当物である。
【００２３】
図４、図５において、スナップ留め具Ｄ’は、筒状部分Ｆおよび筒状部分Ｆの一端に形成されたフランジ１ａで構成された金属製のハトメ１と、中央部分に中央貫通孔Ｈが形成された雌型嵌合部材２’と、中央貫通孔Ｈに連通するよう形成された貫通孔ｈを有する金属製の台部材３とより主としてなる。前記台部材３は、雌型嵌合部材２’が嵌め込み可能な嵌合凹入部Ａを中央部分に有し、さらに、生地（図示せず）に縫い込むため外周部分３ａに形成された縫込穴５を有している。Ｍは、筒状部分Ｆの穴、すなわち、ハトメ１の穴で、これは生地にスナップ留め具Ｄ’を縫い付けるときのセンター合わせのための位置決め用穴として機能する。６は、台部材３の外周部分３ａを構成する座である。
【００２４】
雌型嵌合部材２’は、色の選択が可能な熱可塑性合成樹脂製の素材（材料）よりなる単一の射出成形品である。この実施形態では、熱可塑性合成樹脂としてポリアセタールを用いており、衣服の色にマッチした色のものが用いられる。そのカラーバリエーションは多彩で、例えば白、黒、ローズ、サックス、グレー、ピンク、エンジ、カラシ、濃紺、モスグリーン、ベージュ、濃グレー、茶等といったものを挙げることができる。熱可塑性合成樹脂としてナイロン等を用いてもよい。なお、台部材３を、雌型嵌合部材２’と同一の熱可塑性合成樹脂製の素材より構成することにより、色の選択の幅をさらに拡大することができる。
【００２５】
この実施形態では前述したように、台部材３は金属で構成されており、真鍮台、亜鉛台等を挙げることができる。台部材３としての例えば真鍮台は、例えばプレス盤で真鍮板を曲げることにより座６を形成するだけの簡単な作業で、安価に作製することができる。また、雄型嵌合部材２も単一の射出成型品であることから、これも安価に作製することができ、両部材２，３は量産化が可能である。また、金属製のハトメ１も公知の金属工作機械で安価に作製することができ、量産化が可能である。
【００２６】
而して、ハトメ１の筒状部分Ｆを貫通孔ｈおよび中央貫通孔Ｈの順に挿入し、さらに、中央貫通孔Ｈから突出させた筒状部分Ｆの先端部（ハトメ１の他端部）Ｆ’を、上方からハンマーＫにて打撃してかしめることにより、図４に点線で示すような、かしめ部分ｆが筒状部分Ｆの先端部分に形成され、真鍮台３の嵌合凹入部Ａ内に雌型嵌合部材２’を固定設置してなるスナップ留め具Ｄ’を構成することができる。
【００２７】
そして、その後、前記スナップ留め具Ｄ’は、台部材３の縫込穴５に糸を通して生地に取り付けられる。
【００２８】
図５は、雌型嵌合部材２’を示している。雌型嵌合部材２’は、平面視円形の底面部７’と、底面部７’から外方側に連設されたリング状で縦断面逆Ｕ字形の外周部８’とから主として構成されている。そして、雌型嵌合部材２’は、かしめ部分ｆが位置する凹入部９’を備えており、貫通孔Ｈは、この凹入部９’に連通するよう底面部７’を貫通している。また、１１’は、かしめ部分ｆが当接可能な段差で、底面部７’の上面に形成されている。すなわち、外周部８’の最内周面ｑの下縁と貫通孔Ｈの出口１２’との間の面に形成されている。また、外周部８’の外径は、前記嵌合凹入部Ａの内径よりも大きく設定されている。図４において、雌型嵌合部材２’が嵌合凹入部Ａに嵌め込まれた状態では、雌型嵌合部材２’が弾性変形する。すなわち、弾性変形により、嵌合凹入部Ａを形成する垂直状態の内周面ａに外周部８’の外周面ｎ’が押圧された状態で当接する。
【００２９】
そして、図１の雄型嵌合部材２と図４の雌型嵌合部材２’が嵌合されるようになっている。すなわち、図３（Ｂ）の内側環状突部７の上端部分に形成された環状係合突起Ｑが、図５（Ｂ）の外周部８’の最内周面ｑの上端部分に形成された環状係合突起Ｑ’にスナップ的に係合することにより、雄型嵌合部材２と雌型嵌合部材２’が嵌合する。
【符号の説明】
【００３０】
１        ハトメ
１ａ      フランジ
２        雄型嵌合部材
３        台部材
３ａ      外周部分
５        縫込穴
Ｈ        中央貫通孔
ｈ        貫通孔
Ａ        嵌合凹入部
Ｆ’      他端
ｆ        かしめ部分
Ｄ        雄型スナップ留め具
【図１】
0003196572.tif 000003
【図２】
0003196572.tif 000004
【図３】
0003196572.tif 000005
【図４】
0003196572.tif 000006
【図５】
0003196572.tif 000007